(57)【要約】【課題】観視者の観察位置の前後左右の移動に追随する三次元表示装置及び制御方法を与える。【解決手段】表示装置は、それぞれ右眼用光源および左眼用光源として機能可能な複数の光源が配列された光源部と、右眼用光源からの光により表示される右眼用画像、および、左眼用光源からの光により表示される左眼用画像を表示する表示部と、右眼用画像および左眼用画像の表示光を、右眼用光源および左眼用光源の位置に応じた領域にそれぞれ集光させる光学系と、表示部から画像の観視者までの視点距離を検出する位置検出部と、複数の光源に含まれるそれぞれの光源について、右眼用光源および左眼用光源のいずれとして機能させるかを、位置検出部が検出した距離に基づいて制御する光源制御部とを備える。【選択図】図４
2011215484.tif 000002
【特許請求の範囲】
【請求項１】
それぞれ右眼用光源および左眼用光源として機能可能な複数の光源が配列された光源部と、
前記右眼用光源からの光により表示される右眼用画像、および、前記左眼用光源からの光により表示される左眼用画像を表示する表示部と、
前記右眼用画像および前記左眼用画像の表示光を、前記右眼用光源および前記左眼用光源の位置に応じた領域にそれぞれ集光させる光学系と、
前記表示部から画像の観視者までの視点距離を検出する位置検出部と、
前記複数の光源に含まれるそれぞれの前記光源について、前記右眼用光源および前記左眼用光源のいずれとして機能させるかを、前記位置検出部が検出した距離に基づいて制御する光源制御部と
を備える表示装置。
【請求項２】
前記光源制御部は、予め定められた配列方向に配列された複数の前記光源について、前記視点距離に応じた個数の前記光源を含む光源群を、交互に前記右眼用光源および前記左眼用光源として機能させる
請求項１に記載の表示装置。
【請求項３】
前記光学系は、前記表示部において前記複数の光源が設けられる面と対向して設けられ、前記配列方向と垂直な方向に延伸する微小レンズを、前記配列方向に複数有するレンチキュラレンズを有する
請求項２に記載の表示装置。
【請求項４】
前記配列方向において、前記微小レンズの幅は、前記光源の幅より大きい
請求項３に記載の表示装置。
【請求項５】
前記位置検出部は、前記配列方向と平行な方向における前記観視者の位置を更に検出し、
前記光源制御部は、前記位置検出部が検出した位置に基づいて、それぞれの前記光源群の前記配列方向における位置をシフトさせる
請求項４に記載の表示装置。
【請求項６】
それぞれの前記光源は、前記右眼用光源として機能する場合に第１のタイミングで発光し、前記左眼用光源として機能する場合に第２のタイミングで発光し、
前記表示部は、前記第１のタイミングで前記右眼用画像を表示し、前記第２のタイミングで前記左眼用画像を表示する
請求項１から５のいずれか一項に記載の表示装置。
【請求項７】
それぞれの前記光源は、前記右眼用光源として機能する場合に第１の偏光成分の光を発光し、前記左眼用光源として機能する場合に第２の偏光成分の光を発光し、
前記表示部は、前記第１の偏光成分の光を透過する第１の表示領域に前記右眼用画像を表示し、前記第２の偏光成分の光を透過する第２の表示領域に前記左眼用画像を表示する
請求項１から５のいずれか一項に記載の表示装置。
【請求項８】
それぞれの前記光源は、前記配列方向と垂直な方向に延伸して設けられ、
前記第１の表示領域および前記第２の表示領域は、前記配列方向に延伸して設けられ、且つ、前記配列方向と垂直な方向において交互に設けられる
請求項７に記載の表示装置。
【請求項９】
前記位置検出部は、不可視光を前記観視者に対して照射し、前記観視者の眼からの反射光を検出して、前記観視者の位置を検出する
請求項５に記載の表示装置。
【請求項１０】
前記位置検出部は、前記表示部が表示した画像の、前記観視者の眼からの反射光を検出して、前記観視者の位置を検出する
請求項５に記載の表示装置。
【請求項１１】
前記位置検出部は、前記表示部が表示した画像の明るさが、予め定められた基準値以上の場合に、前記観視者の眼からの前記反射光を検出する
請求項１０に記載の表示装置。
【請求項１２】
それぞれ右眼用光源および左眼用光源として機能可能な複数の光源が配列された光源部と、前記右眼用光源からの光により表示される右眼用画像、および、前記左眼用光源からの光により表示される左眼用画像を表示する表示部と、前記右眼用画像および前記左眼用画像の表示光を、前記右眼用光源および前記左眼用光源の位置に応じた領域にそれぞれ集光させる光学系とを備える表示装置を制御する制御方法であって、
前記表示部から画像の観視者までの視点距離を検出する位置検出段階と、
前記複数の光源に含まれるそれぞれの前記光源について、前記右眼用光源および前記左眼用光源のいずれとして機能させるかを、前記位置検出段階において検出した距離に基づいて制御する光源制御段階と
を備える制御方法。
【発明の詳細な説明】
【技術分野】
【０００１】
本発明は、観視者に立体像を表示するための表示装置に関する。
【背景技術】
【０００２】
透過型表示モニタおよびレンズを用いて立体画像を視認させる技術として、透過型表示モニタの裏面側から右眼用光源および左眼用光源で照射して、右眼用光源からの光および左眼用光源からの光をレンズによりそれぞれ観視者の右眼上および左眼上に結像させる技術が知られている。例えば、下記特許文献には立体視に関連する技術が記載されている。
特許文献１  特開２００９−９８５８９号公報
【発明の概要】
【発明が解決しようとする課題】
【０００３】
ところで、レンズによる結像位置から水平方向に離れた位置から観視している観視者には、右眼のみに与えられるべき光が左眼に漏れたり、また、左眼のみに与えられるべき光が右眼に漏れたりする場合がある。この場合、観視者には右眼用画像と左眼用画像とが重なった画像が認識される。このように、観視者の水平方向の位置によっては、観視者の眼に適切な画像を提示することができないという課題があった。
【０００４】
このような課題に対して、水平方向に複数の光源を設け、観視者の位置に対応する光源を点灯させることも考えられる。しかし、光源を切り替えるときに、光源の位置が大きく変動してしまうので、光源の切替時に観視者に不自然な画像が提示されてしまう。
【課題を解決するための手段】
【０００５】
上記課題を解決するために、本発明の第１の態様においては、それぞれ右眼用光源および左眼用光源として機能可能な複数の光源が配列された光源部と、前記右眼用光源からの光により表示される右眼用画像、および、前記左眼用光源からの光により表示される左眼用画像を表示する表示部と、前記右眼用画像および前記左眼用画像の表示光を、前記右眼用光源および前記左眼用光源の位置に応じた領域にそれぞれ集光させる光学系と、前記表示部から画像の観視者までの視点距離を検出する位置検出部と、前記複数の光源に含まれるそれぞれの光源について、前記右眼用光源および前記左眼用光源のいずれとして機能させるかを、前記位置検出部が検出した距離に基づいて制御する光源制御部とを備える表示装置を提供する。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】本実施形態に係る表示装置１０を示す。
【図２】本実施形態に係る表示装置１０の構成を示す。
【図３Ａ】本実施形態に係る表示装置１０に備えられる光源部１４の実施形態を示す。
【図３Ｂ】本実施形態に係る表示装置１０に備えられる光源部１４の実施形態を示す。
【図３Ｃ】本実施形態に係る表示装置１０に備えられる光源部１４の実施形態を示す。
【図４】本実施形態に係る表示装置１０から観視者６０に与えられる光の光路例を示す。
【図５】本実施形態に係る表示装置１０から観視者６０に与えられる光の光路例を示す。
【図６】本実施形態に係る表示装置１０から観視者６０に与えられる光の光路例を示す。
【図７Ａ】本実施形態に係る表示装置１０における観視者６０の位置の変化を示す。
【図７Ｂ】本実施形態に係る光源部１４の一部の光源５２を示す。
【図７Ｃ】本実施形態に係る光源部１４の一部の光源５２を示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、本実施形態に係る表示装置１０の全体を示す。本実施形態に係る表示装置１０は、光源部１４、光学系１６、表示部１２を備える。図２は、本実施形態に係る表示装置１０の構成を示す。
【００１０】
表示装置１０は、立体表示用の右眼用画像および左眼用画像を含む画像データを受信装置または再生装置等から受け取る。表示装置１０は、右眼用画像を表示して観視者６０の右眼に与え、左眼用画像を表示して観視者６０の左眼に与えることができる。このような表示装置１０は、画像分離用の専用メガネを装着しない観視者６０、即ち、裸眼の観視者６０に対して、立体像を観察させることができる。
【００１１】
光源部１４は、表示部１２の裏面に光を照射する。表示部１２の裏面に照射された光は、表示部１２を透過して観視者６０に与えられる。これにより、観視者６０は、表示部１２に表示された画像を観賞することができる。
【００１２】
光源部１４は、それぞれ右眼用光源および左眼用光源として機能可能な複数の光源が配列されている。光源部１４は、それぞれの光源を、右眼用画像を表示する光を照射する右眼用光源３２と、左眼用画像を表示する光を照射する左眼用光源３４として機能させる。右眼用光源３２と左眼用光源３４は予め定められた配列方向に交互に配列されてよい。以下では、配列方向を水平方向として説明する。
【００１３】
それぞれの光源は、水平方向と垂直な方向に延伸して設けられてよい。つまり、複数の右眼用光源３２および複数の左眼用光源３４のそれぞれは、一例として、表示部１２の上端から下端まで表示部１２の垂直方向に延伸する。このような複数の右眼用光源３２および複数の左眼用光源３４のそれぞれは、表示部１２の上下方向に均一な光を照射することができる。
【００１４】
それぞれの光源は、右眼用光源３２として機能する場合に第１の偏光成分の光を発光し、左眼用光源３４として機能する場合に第２の偏光成分の光を発光してよい。つまり、複数の右眼用光源３２は、表示部１２の裏面から第１の偏光成分の光を照射する。そして、複数の左眼用光源３４は、表示部１２の裏面から第２の偏光成分の光を照射する。
【００１５】
表示部１２は、右眼用光源３２からの光により表示される右眼用画像、および、左眼用光源３４からの光により表示される左眼用画像を表示する。表示部１２は、裏面側から照射された光を透過することにより、表示した画像を観視者６０に与える透過型パネルであってよい。
【００１６】
表示部１２は、入射光の第１の偏光成分を透過する複数の第１表示領域２２と、入射光の第２の偏光成分を透過する複数の第２表示領域２４とが交互に配列される。表示部１２は、第１の表示領域に右眼用画像を表示し、第２の表示領域に左眼用画像を表示してよい。第１の偏光成分の光および第２の偏光成分の光は、偏光方向が互いに直交する直線偏光（Ｓ偏光およびＰ偏光）であってよい。また、第１の偏光成分の光および第２の偏光成分の光は、回転方向が互いに逆の円偏光であってもよい。
【００１７】
第１表示領域２２および第２表示領域２４は、水平方向に延伸して設けられ、且つ、水平方向と垂直な方向において交互に設けられてよい。例えば、複数の第１表示領域２２および複数の第２表示領域２４のそれぞれは、表示部１２の水平方向（左右方向）に延伸し、表示部１２の垂直方向（上下方向）に交互に配列される。表示部１２は、一例として、第１の偏光成分の光を透過する水平ラインと、第２の偏光成分の光を透過する水平ラインとを１ラインずつ交互に含む構成であってよい。水平ラインは、表示部１２における１画素分の幅を有するラインを指す。
【００１８】
光学系１６は、表示部１２および光源部１４の間に設けられる。光学系１６は、複数の右眼用光源３２からの光を、複数の第１表示領域２２を透過させて観視者６０の右眼に対応する第１視点に集光させる。さらに、光学系１６は、複数の左眼用光源３４からの光を、複数の第２表示領域２４を透過させて観視者６０の左眼に対応する第２視点に集光させる。
【００１９】
光学系１６は、レンチキュラレンズであってよい。レンチキュラレンズは、一例として、光学系１６の上端から下端まで光学系１６の垂直方向にそれぞれ延伸する複数の微小レンズ４２を有する。複数の微小レンズ４２は、光学系１６の右端から左端まで、光学系１６の水平方向に並べて配列される。これにより光学系１６は、右眼用画像および左眼用画像の表示光を、右眼用光源および左眼用光源の位置に応じた領域にそれぞれ集光させる。
【００２０】
光源部１４は、観視者６０が移動した場合に、その動きを追跡（トラッキング）して、右眼用光源及び左眼用光源の位置を切り替える。これにより、表示装置１０は、観視者６０の位置に応じて、右眼用画像および左眼用画像の表示光を集光させる位置を制御する。
【００２１】
図３Ａから図３Ｃは、各図において異なる形態の光源部１４を正面方向から見た正面図である。それぞれの複数の光源は、予め定められた配列方向において連続して配置されている。ここで、配列方向とは、光源部１４において、複数の右眼用光源３２及び複数の左眼用光源３４が交互に配列される方向を指す。当該配列方向は水平方向であってよい。
【００２２】
また、図３Ａから図３Ｃにおいて、光源の形状を四辺形で示すが、光源の形状は当該形状でなくともよい。それぞれの光源は、図中において四辺形で示される線光源または点光源であってよく、四辺形の領域における予め定められた位置に設けられた一または複数の点光源であってもよい。
【００２３】
図３Ａに示す実施形態において、右眼用光源３２と左眼用光源３４は、垂直方向に延伸する等しい幅の四辺形の形状を有している。そして、複数の右眼用光源３２及び複数の左眼用光源３４は、それぞれが水平方向に交互に配列されている。
【００２４】
図３Ｂに示す実施形態において、右眼用光源３２と左眼用光源３４は、所定の横方向長さと縦方向長さを有する四辺形のブロック形状を有している。そして、複数の右眼用光源３２のブロック及び複数の左眼用光源３４のブロックは、水平方向及び垂直方向に交互に格子状に配列されている。
【００２５】
図３Ｃに示す実施形態において、右眼用光源３２と左眼用光源３４は、所定の横方向長さと縦方向長さを有する四辺形のブロック形状を有している。そして、複数の右眼用光源３２のブロック及び複数の左眼用光源３４のブロックは、水平方向に交互に配列され、四辺形の横方向長さの半分だけ左右交互にずれて、垂直方向に交互に配列されている。
【００２６】
図４は、本実施形態に係る表示装置１０から観視者６０に与えられる光の光路例を示す。表示装置１０において、複数の右眼用光源Ｒのそれぞれから出力された第１の偏光成分の光は、光学系１６により観視者６０の右眼に対応する第１視点Ｒ１の方向に屈折される。そして、光学系１６により屈折された第１の偏光成分の光は、表示部１２の複数の第１表示領域２２を通過して、観視者６０の右眼に与えられる。
【００２７】
また、表示装置１０において、複数の左眼用光源Ｌのそれぞれから出力された第２の偏光成分の光は、光学系１６により観視者６０の左眼に対応する第２視点Ｌ１の方向に屈折される。そして、光学系１６により屈折された第２の偏光成分の光は、表示部１２の複数の第２表示領域２４を通過して、観視者６０の左眼に与えられる。
【００２８】
ここで、表示部１２は、複数の第１表示領域２２に右眼用画像を表示する。また、表示部１２は、複数の第２表示領域２４に左眼用画像を表示する。従って、当該表示装置１０は、観視者６０の右眼に対応する第１視点Ｒ１に対して複数の第１表示領域２２に表示した右眼用画像を与え、観視者６０の左眼に対応する第２視点Ｌ１に対して複数の第２表示領域２４に表示した左眼用画像を与えることができる。
【００２９】
これにより、表示装置１０によれば、専用メガネを用いない裸眼の観視者６０に対して立体像を観察させることができる。そして、表示装置１０によれば、光学系１６として大型の単一のレンズではなくレンチキュラレンズを用いることができるので、表示面を大型とすることができ、更に、薄くすることができる。
【００３０】
ここで、光源部１４に設けられた複数の光源５２を、複数の光源群５６に分割して説明する。それぞれの光源群５６は、水平方向に連続して配置された予め定められた個数の光源５２を有する。光源群５６は、水平方向において交互に右眼用光源Ｒおよび左眼用光源Ｌとして機能する。光源５２はＬＥＤ等の発光素子であってよい。
【００３１】
表示装置１０は、光源制御部５４及び位置検出部５８をさらに備える。位置検出部５８は、表示部１２から画像の観視者６０までの視点距離を検出する。ここで、視点距離とは、表示部１２の表示面から観視者６０の眼に対応する視点までの、該表示面に対して垂直方向の距離Ｄ１を指す。位置検出部５８は水平方向における観視者６０の位置を更に検出してよい。
【００３２】
位置検出部５８は、不可視光を観視者６０に対して照射し、観視者６０の眼からの反射光を検出して、観視者６０の位置を検出してよい。不可視光を用いることで、観視者６０の観察を邪魔することなく当該観視者６０の位置情報を検出することができる。不可視光は、赤外線であってよい。
【００３３】
また、位置検出部５８は、表示部１２が表示した画像の、観視者６０の眼からの反射光を検出して、観視者６０の位置を検出してよい。この場合、位置検出部５８は、表示部１２が表示した画像の明るさが、予め定められた基準値以上の場合に、観視者６０の眼からの反射光を検出してよい。基準値を設けることで、反射光を検出するときの信号ノイズ比を一定以上に維持することができる。また、位置検出部５８は、表示部１２が表示した画像に基づいて、観視者６０の眼から検出した光が、画像の反射光であるか否かを判定してよい。例えば位置検出部５８は、表示部１２が表示した画像の色成分と、観視者６０の眼から検出した光の色成分とを比較して、検出した光が画像の反射光であるか否かを判定する。
【００３４】
光源制御部５４は、それぞれの光源５２について、右眼用光源Ｒおよび左眼用光源Ｌのいずれとして機能させるかを、位置検出部５８が検出した距離に基づいて制御する。つまり、光源制御部５４は、光源群５６ごとではなく、１個の光源５２ごとに、光源５２の機能を右眼用光源Ｒまたは左眼用光源Ｌとして制御することができる。光源５２の機能の切替えは、一例として位置検出部５８が検出した視点距離Ｄ１に基づいて制御される。
【００３５】
光源制御部５４は、水平方向に配列された複数の光源５２について、視点距離に応じた個数の光源５２を含む光源群５６を、交互に右眼用光源および左眼用光源として機能させてよい。つまり、観視者６０が水平方向に対して垂直方向に移動した場合、視点距離Ｄ１が変化する。その視点距離Ｄ１の変化に応じて、光源部１４のそれぞれの光源群５６を構成する光源５２の個数が変化する。光源制御部５４は、光源５２の個数が変化した光源群５６を水平方向に沿って交互に右眼用光源Ｒ及び左眼用光源Ｌとして機能させる。それぞれの光源群５６に含まれる光源５２の個数は同一であってよい。
【００３６】
上述したように、右眼用光源Ｒおよび左眼用光源Ｌは、射出する光の偏光成分が異なる。光源部１４は、それぞれの光源５２の前に、透過する光の偏光方向を切り替える液晶素子を有してよい。光源制御部５４は、水平方向における観視者６０の位置の変化に基づいて、それぞれの光源５２の前の液晶素子の偏光方向を制御する。
【００３７】
光学系１６は、光源部１４において複数の光源５２が設けられる面と対向して設けられ、水平方向と垂直な方向に延伸する微小レンズ４２を、水平方向に複数有するレンチキュラレンズを有してよい。水平方向において、微小レンズ４２の幅は、光源５２の幅より大きいことが好ましい。
【００３８】
光学系１６は、右眼用光源Ｒとして機能する複数の光源群５６からの光を屈折させて、表示部１２の複数の第１表示領域２２を透過して観視者６０の右眼に対応する視点Ｒ１に右眼用画像を結像する。また、光学系１６は、左眼用光源Ｌとして機能する複数の光源群５６からの光を屈折させて、表示部１２の複数の第２表示領域２４を透過して観視者６０の左眼に対応する視点Ｌ１に左眼用画像を結像する。
【００３９】
上述したように、それぞれの光源群５６に含まれる光源５２の数を変更することで、水平方向において、右眼用光源Ｒおよび左眼用光源Ｌと、微小レンズ４２との相対位置がシフトする。このため、右眼用光源Ｒおよび左眼用光源Ｌからの光が集光する位置を、視点距離の方向に変化させることができる。
【００４０】
また、光源制御部５４は、それぞれの光源５２が、右眼用光源Ｒとして機能する場合に第１のタイミングで発光し、左眼用光源Ｌとして機能する場合に第２のタイミングで発光するように制御してもよい。例えば、光源制御部５４は、第１のタイミングにおいて、右眼用光源Ｒとして機能する複数の光源５２を点灯させ、左眼用光源Ｌとして機能する複数の光源５２を消灯させる。また、光源制御部５４は、第２のタイミングにおいて、右眼用光源Ｒとして機能する複数の光源５２を消灯させ、左眼用光源Ｌとして機能する複数の光源５２を点灯させる。光源制御部５４は、右眼用光源Ｒおよび左眼用光源Ｌを交互に繰り返し点灯させてよい。
【００４１】
表示部１２は、第１のタイミングで右眼用画像を表示し、第２のタイミングで左眼用画像を表示する。この場合、表示部１２は、第１表示領域２２および第２表示領域２４に分割されず、共通の表示領域に右眼用画像および左眼用画像を交互に表示する。これにより、表示装置１０は、第１のタイミングにおいて、観視者６０の右眼に対して右眼用画像を表示し、第２のタイミングにおいて、観視者６０の左眼に対して左眼用画像を与えることができる。
【００４２】
光源制御部５４および表示部１２は、第１タイミングと第２タイミングとを、観視者６０に認識できない程度に高速に交互に切り替える。これにより、表示装置１０は、画像分離用の専用メガネを装着しない観視者６０に対して、その視点に対応する立体画像を提供することができる。
【００４３】
図５は、観視者６０が水平方向に対して垂直方向に移動した場合に、表示装置１０から観視者６０に与えられる光の光路例を示す。図５に示す例において、視点距離はＤ１からＤ２へ変化する。すなわち、観視者６０は、表示部１２の表示面から距離（Ｄ２−Ｄ１）だけ遠ざかる。
【００４４】
観視者６０の移動に伴い、位置検出部５８は、観視者６０の移動及び視点距離を検出し、その情報を信号として光源制御部５４に送信してよい。光源制御部５４は、位置検出部５８からの信号に基づいて、光源部１４における光源群５６を構成する光源５２の個数を制御する。
【００４５】
具体的には、光源制御部５４は、観視者６０が表示部１２の表示面から遠ざかるように移動した場合において、光源群５６を構成する光源５２の数を減少させるように制御する。一方、光源制御部５４は、観視者６０が表示部１２の表示面に近づくように移動した場合において、光源群５６を構成する光源５２の個数を増加させるように制御する。
【００４６】
図５に示す例において、観視者６０が表示部１２の表示面から距離（Ｄ１−Ｄ２）だけ遠ざかっているので、光源制御部５４は、光源群５６に含まれる光源５２の個数を、例えば６個から３個のように減少させる。光源制御部５４は、３つの光源５２を含む光源群５６を水平方向に複数並べて、交互に右眼用光源Ｒ及び左眼用光源Ｌとして機能させる。
【００４７】
こうすることにより、光源制御部５４は、右眼用光源Ｒ及び左眼用光源Ｌとして機能する光源群５６の数を制御することができるので、光源群５６の光学系１６に対する相対位置を変化させることができる。その結果、観視者６０の観察位置が水平方向と垂直方向に移動しても、観視者６０の眼に対応する位置の視点に光源５２からの光を集光させることができる。
【００４８】
光源制御部５４は、水平方向に配列された光源５２のうち、予め定められた位置の光源５２を基準とする。そして、当該基準の光源５２から左右方向のそれぞれにおいて、光源５２を一定数ずつ光源群５６として割り当てる。係る条件において、光源群５６に含まれる光源５２の個数を制御すると、基準の光源５２に対する各光源群５６の相対位置をシフトさせることができる。
【００４９】
光源制御部５４は、水平方向における略中央に設けられた光源５２を基準の光源５２としてよく、また、観視者６０の水平方向における位置に対応する光源５２を基準の光源５２としてもよい。例えば光源制御部５４は、水平方向における位置が、観視者６０の両眼の中央と一致する光源５２を、基準の光源５２としてよい。位置検出部５８は、水平方向における観視者６０の両眼位置を検出して、光源制御部５４に通知してよい。
【００５０】
光学系１６は、右眼用光源Ｒとして機能する複数の光源群５６からの光を屈折させて、表示部１２の複数の第１表示領域２２を透過して観視者６０の右眼に対応する視点Ｒ２に右眼用画像を結像する。また、光学系１６は、左眼用光源Ｌとして機能する複数の光源群５６からの光を屈折させて、表示部１２の複数の第２表示領域２４を透過して観視者６０の左眼に対応する視点Ｌ２に左眼用画像を結像する。
【００５１】
図６は、観視者６０が水平方向に一定距離（Ｌ２からＬ３またはＲ２からＲ３）移動した場合に、表示装置１０から観視者６０に与えられる光の一例を示す。図６に示す例において、観視者６０は水平方向に移動し、垂直方向には移動していないと仮定する。すなわち、視点距離はＤ２に維持される。
【００５２】
観視者６０の移動に伴い、位置検出部５８は、観視者６０の移動及び水平方向と平行な方向における観視者６０の位置を検出し、その情報を信号として光源制御部５４に送信してよい。光源制御部５４は、位置検出部５８が検出した位置に基づいて、それぞれの光源群５６の水平方向における位置をシフトさせてよい。ここで、光源群５６の水平方向における位置とは、光学系１６に対する光源群５６の相対位置を指す。
【００５３】
つまり、光源制御部５４は、観視者６０の移動量に応じて、それぞれの光源群５６の水平方向における相対位置をシフトするように制御する。図６に示す例においては、それぞれの光源群５６の水平方向における相対位置は、左方向に光源５２の１個分だけシフトしてよい。
【００５４】
光源制御部５４は、光源群５６の相対位置をシフトさせる場合に、光源群５６の少なくとも一つの光源５２の機能を維持しつつ、光源群５６の端部の光源５２の機能を、右眼用光源Ｒまたは左眼用光源Ｌの間で切り替えてよい。つまり、光源制御部５４は、光源群５６の相対位置を、光源５２の単位で徐々にシフトさせてよい。これにより、光源群５６の相対位置の切り替えを、よりスムーズに行うことができる。
【００５５】
図７Ａは、図５及び図６に示す観視者６０の左右の眼に対応する視点の位置（Ｌ２、Ｒ２）及び（Ｌ３、Ｒ３）を示す。図７Ｂは、観視者６０の眼に対応する視点の位置が（Ｌ２、Ｒ２）であるときの光源５２を示す。図７Ｃは、観視者６０の眼に対応する視点の位置が（Ｌ３、Ｒ３）であるときの光源５２を示す。
【００５６】
図７Ｂおよび図７Ｃでは３つの光源５２−１、光源５２−２、光源５２−３の動作を説明する。観視者６０の左右の眼に対応する視点の位置が（Ｌ２、Ｒ２）である場合、光源５２−１、光源５２−２、光源５２−３はすべて右眼用光源Ｒとして機能する。
【００５７】
観視者６０の眼に対応する視点の位置（Ｌ２、Ｒ２）が、視点の位置（Ｌ３、Ｒ３）まで、水平方向に距離Ｗだけ移動した場合、位置検出部５８は観視者６０の移動及び水平方向における位置を検出し、光源制御部５４に信号を送信する。
【００５８】
光源制御部５４は、観視者６０の移動方向に応じて、光源群５６の端部の左右いずれ側の光源５２の機能を切り替えるのかを判断する。本例においては、観視者６０は右方向へ移動するので、光源群５６の右側の端部の光源５２−３の機能が右眼用光源Ｒから左眼用光源Ｌへと切り替わる。このとき、残りの光源５２−１、５２−２の機能は維持されている。
【００５９】
光源群５６の右側の端部の光源５２−３の機能が右眼用光源Ｒから左眼用光源Ｌに切り替わったことにより、光源群５６の相対位置が見かけ上左側に光源１個分だけシフトする。光源群５６は、観視者６０の移動距離に応じてシフトしてよい。観視者６０の移動距離が２Ｗである場合には、光源５２−２及び光源５２−３の機能が切り替わってよい。したがって、この例において光源群５６は光源５２の２個分だけ水平方向にシフトしてよい。
【００６０】
こうすることにより、光源制御部５４は、光源群５６の相対位置をシフトすることができるので、観視者６０の観察位置が水平方向に移動しても、観視者６０の眼に対応する位置の視点に光源からの光を集光させることができる。
【００６１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６２】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６３】
１０・・・表示装置、１２・・・表示部、１４・・・光源部、１６・・・光学系、２２・・・第１表示領域、２４・・・第２表示領域、３２・・・右眼用光源、３４・・・左眼用光源、４２・・・微小レンズ、５２・・・光源、５４・・・光源制御部、５６・・・光源群、５８・・・位置検出部、６０・・・観視者
【図１】
2011215484.tif 000003
【図２】
2011215484.tif 000004
【図３Ａ】
2011215484.tif 000005
【図３Ｂ】
2011215484.tif 000006
【図３Ｃ】
2011215484.tif 000007
【図４】
2011215484.tif 000008
【図５】
2011215484.tif 000009
【図６】
2011215484.tif 000010
【図７Ａ】
2011215484.tif 000011
【図７Ｂ】
2011215484.tif 000012
【図７Ｃ】
2011215484.tif 000013